(57)【要約】【課題】専門的な知識を必要とせずに容易に施工することができるとともに、野生動物等の侵入を確実に阻止することができる安価な防護柵を提供する。【解決手段】支柱１と網状体２を共締め状に掛合する金具本体１０と、金具本体１０を締付け固定する締付ボルト１１とからなる取付金具８で、金具本体１０は支柱１に抱持状に嵌合するほぼＵ字形状に折曲形成された金属板製で、網状体２の網目に掛合する一対の掛合腕部１０ａ、１０ａと、これら両掛合腕部の接続部を形成し、締付ボルト１１が螺進退可能に螺着される締付基部１０ｂとからなる。防護柵の組立に際し、支柱１に支持固定する網状体２の両端縁部５、６を、隣接する網状体２の一端縁部と重ね合わせて、この重合部分７を、取付金具８により支柱１に共締め固定する。【選択図】図３
2007050009.tif 000002
【特許請求の範囲】
【請求項１】
所定の間隔をもって配設された支柱を介して網状体が張りめぐらせてなる防護柵において、前記網状体を前記支柱に取り付け固定する取付金具であって、
前記支柱と網状体とを共締め状に掛合する金具本体と、前記支柱に当接係合して、前記金具本体を締付け固定する締付ボルトとからなり、
前記金具本体は、前記支柱に抱持状に嵌合するほぼＵ字形状に折曲形成されてなる金属板製とされ、前記網状体の網目にそれぞれ掛合する一対の掛合腕部と、これら両掛合腕部の接続部を形成し、前記締付ボルトが螺進退可能に螺着される締付基部とから構成されている
ことを特徴とする防護柵の取付金具。
【請求項２】
前記金具本体の一対の掛合腕部の間の距離が前記支柱の両側に抱持状に嵌合可能な寸法に設定されるとともに、各掛合腕部には、前記網状体の網目に挿通掛止可能な掛合部がそれぞれ対向して設けられている
ことを特徴とする請求項１に記載の防護柵の取付金具。
【請求項３】
前記掛合腕部の掛合部は、上方が開放されるとともに、前後方向へ引込み掛止可能な切欠き溝の形態とされている
ことを特徴とする請求項２に記載の防護柵の取付金具。
【請求項４】
前記掛合腕部の切欠き溝は、その前側溝縁が後方へ湾曲して形成されて、前記網状体の網目に前後方向へ引込み掛止可能とされている
ことを特徴とする請求項３に記載の防護柵の取付金具。
【請求項５】
前記締付ボルトは、前記金具本体の締付基部に螺進退可能に螺合されるとともに、その先端面が前記支柱の裏面側に当接係合可能とされてなり、
前記金具本体が前記支柱の裏側から支柱を抱持状に挟むようにして、前記一対の掛合腕部が前記網状体の網目にそれぞれ掛合した状態において、前記締付ボルトが締め込み操作されることにより、前記網状体が前記支柱の表面側に共締め状に締付け固定される
ことを特徴とする請求項１から４のいずれか一つに記載の防護柵の取付金具。
【請求項６】
前記締付ボルトは、手動操作可能な蝶ボルトの形態とされていることを特徴とする請求項５に記載の防護柵の取付金具。
【請求項７】
所定の間隔をもって配設された支柱を介して網状体が張りめぐらせてなる防護柵であって、
前記網状体は、所定寸法を有する矩形状に形成されたエキスパンドメタルからなる平坦な網状の板材から構成され、
前記支柱が、前記矩形状の網状体の幅寸法に対応した間隔をもって複数本立設されるとともに、これら相隣接する支柱間に前記網状体が橋絡状に張設されてなり、
前記支柱に支持固定される前記各網状体の両端縁部は、隣接する網状体の一端縁部と重ね合わされるとともに、これら重合部分が請求項１から６のいずれか一つに記載の取付金具により前記支柱に共締めされて固定されている
ことを特徴とする防護柵。
【請求項８】
前記網状体の重合部分において、両網状体の網目同士は、上下方向および幅方向にそれぞれ当接係合して位置決めされている
ことを特徴とする請求項７に記載の防護柵。
【請求項９】
所定の間隔をもって配設された支柱を介して網状体が張りめぐらせてなる防護柵において、前記網状体を前記支柱に取り付ける方法であって、
隣接する前記網状体の一端縁部同士を重ね合わせた後、請求項１から６のいずれか一つに記載の取付金具により、これら重合部分を前記支柱に共締め状に取付け固定する
ことを特徴とする防護柵の網状体の取付方法。
【請求項１０】
隣接する前記網状体の重合部分を、前記支柱に表側から当接させた状態で、前記取付金具の両掛合腕部を、前記支柱の裏側から支柱を抱持状に挟むようにして、前記網状体の重合部分を表側へ挿通した後、両掛合腕部を前記網状体の網目に掛止させながら裏側へ引き込み、この状態のまま、前記締付ボルトを締め込むことで、前記網状体の重合部分を前記支柱の表面側に共締め状に締付け固定する
ことを特徴とする請求項９に記載の防護柵の網状体の取付方法。
【発明の詳細な説明】
【技術分野】
【０００１】
本発明は防護柵の取付金具に関し、さらに詳細には、特に農耕地への野生動物等の侵入を阻止するために適した防護柵の取付金具に関する。
【背景技術】
【０００２】
全国各地で野生動物が農作物を食い荒らす被害（食害）が報告されており、なかには、熊が人間を襲うという人的被害もある。食害を起こす主な野生動物としては、猪、鹿および猿が最も多く、この他にイタチや狸の報告もある。
【０００３】
近時、このような食害等の野生動物による被害は、従来のように山中に野生動物の食物が少なくなる冬季だけでなく、季節に関係なく年中発生する傾向にあり、その被害件数も徐々に増加しているというのが実情である。
【０００４】
野生動物による被害の発生要因は多岐にわたるが、中山間地への人間の出入りが以前に比べて非常に少なくなり、野生動物の生活（行動）範囲が人間の居住地域に近いところまで広がってきたこと、動物保護や猟師の減少により野生動物の生息頭数が増加したこと、また、農作物を食料にすることにより動物の栄養状態が改善され、これら野生動物の子の幼少期の死亡率が低下することによる頭数増加等が挙げられている。
【０００５】
これらの野生動物による被害は、農家の生活基盤を根底から脅かすのみならず、自然回帰への関心の高まりから山間地等への観光客の動員もみこまれる昨今、早急に解決されるべき深刻な社会問題としてクローズアップされてきている。
【０００６】
このような観点から、各自治体では、従来、上記被害を防ぐ方策のための調査、研究を種々積極的に行っているが、今までのところ統一した効果的で抜本的な解決方法は未だ確立されておらず、現在最も有効な防止策として防護柵による方法がある。
【０００７】
防護柵は、例えば、農作物が栽培される田畑の周囲に網状の柵体つまり網状体を張りめぐらすことによって、田畑への野生動物の侵入を阻止しようとするものであり、従来、この種の防護柵として、金網柵、漁網（海苔網）柵あるいは電気柵などが採用されている。
【０００８】
金網柵は、網状体として、針金や鉄線等の金属線材を種々の網状に編んで組成した金網を用いたものであって、上記金属線材にビニールコーティングを施して耐蝕性を持たせたものが主流となっている。この金網柵においては、金網の網目の開口部面積が、進入防止対象となる野生動物に対応して設定されて、その開口部の大きさ以上の動物の進入を阻止する構成とされている。
【０００９】
漁網柵は、網状体として、漁業において用いられている漁網を用いたものであって、この魚網はナイロン製の糸などを網状に編んで組成されている。魚網の網目の開口部面積が、進入防止対象となる野生動物に対応して設定されているのは、上記金網柵の金網と同様である。
【００１０】
電気柵は、導電線を編んで組成された網状体、具体的には、地表とほぼ平行に複数本の導電線が所定間隔をもって張りめぐらされた網状の形態とされるとともに、この導電線に通電させてなるものであって、野生動物の侵入阻止は、野生動物の上記網状体との接触に伴う感電によって図られている。
【発明の開示】
【発明が解決しようとする課題】
【００１１】
しかしながら、かかる従来の防護柵のいずれも、それぞれ以下に列挙するような問題があり、その改善が望まれていた。
【００１２】
（１）金網柵においては、網状体が上述した如く金属線材を編んで組成したものであり、これがため、その網目の一部が動物に噛み切られる等して一旦破損すると、そこから網目の開口部面積が次第に大きく広がっていき、ついには野生動物の侵入を許してしまい、防護柵としての機能を喪失してしまうという問題があった。
【００１３】
また、網状体である金網は製造上長尺なものであることから、金網柵の施工に際しては、長尺な金網を一旦コイル状に巻回して施工現場まで運搬した後、施工現場において再び広げて、所定の長さ分ずつ順次施工することになるが、この現場での施工には時間がかかり、能率が悪い。
【００１４】
さらに、上述したように、金網の多くはビニールコーティングを施して耐食性を持たせているが、実際の耐食期間は数年であり、耐蝕期間経過誤後はさらに維持費が嵩む等の問題があった。
【００１５】
また、金網柵の場合、金網を順次施工しなければならないため、施工距離（防護柵で囲い込む範囲）が長くなると施工に時間がかかるという問題があった。さらに、使用される金網は、通常、ビニールコーティングが施されて耐食性の向上が図られているが、耐食期間はせいぜい数年であり、その後は補修等の維持費が嵩むという問題があった。
【００１６】
（２）漁網柵は、金網柵に比べて形状変化に柔軟に対応できるため、施工が簡単であり、また製品価格も安価であるといった利点があるものの、金網柵に比べて強度が小さいので、野生動物に簡単に噛み切られたり、網自体が動物にからみついてしまう。これがため、網が損傷して、野生動物の侵入を許してしまい、防護柵としての機能を喪失してしまったり、野生動物も怪我をするなど被害を受けるなどの問題があった。
【００１７】
（３）電気柵は、当初一般住居の庭から電源を供給していたものが、近時は太陽電池を採用することによって、電源コストが抑えられ、かつ雑草等の接触による通電阻害なども改善されたものが製品化されて供給されているが、施工距離に応じた電源設備が必要なため高価となるだけでなく、これらの設備のメンテナンスにはある程度の専門知識が必要となるので、その導入が容易でないという問題があった。
【００１８】
また、電気柵の場合、上述したように、地表と平行に複数本の導電線が配設されるが、この配設間隔より小さい動物の侵入は防止できず、また、決められた場所だけにしか出入口を設けられないという問題があった。
【００１９】
その上、電気柵では、対象である野生動物ばかりか、人間も感電するおそれがあり、安全対策の面でも問題があった。
【００２０】
本発明はかかる問題点に鑑みてなされたものであって、その目的とするところは、専門的な知識を必要とせずに容易に施工することができるとともに、野生動物の侵入を確実に阻止することができる安価な防護柵を提供することにある。
【課題を解決するための手段】
【００２１】
上記目的を達成するために、本発明の防護柵の取付金具は、所定の間隔をもって配設された支柱を介して網状体が張りめぐらせてなる防護柵において、上記網状体を上記支柱に取り付け固定する取付金具であって、上記支柱と網状体とを共締め状に掛合する金具本体と、上記支柱に当接係合して、上記金具本体を締付け固定する締付ボルトとからなり、上記金具本体は、上記支柱に抱持状に嵌合するほぼＵ字形状に折曲形成されてなる金属板製とされ、上記網状体の網目にそれぞれ掛合する一対の掛合腕部と、これら両掛合腕部の接続部を形成し、上記締付ねじが螺進退可能に螺着される締付基部とから構成されていることを特徴とする。
【００２２】
好適な実施態様として、以下の構成が採用される。
（１）上記金具本体の一対の掛合腕部の間の距離が上記支柱の両側に抱持状に嵌合可能な寸法に設定されるとともに、各掛合腕部には、上記網状体の網目に挿通掛止可能な掛合部がそれぞれ対向して設けられている。
【００２３】
（２）上記掛合腕部の掛合部は、上方が開放されるとともに、前後方向へ引込み掛止可能な切欠き溝の形態とされている。
【００２４】
（３）上記掛合腕部の切欠き溝は、その前側溝縁が後方へ湾曲して形成されて、上記網状体の網目に前後方向へ引込み掛止可能とされている。
【００２５】
（４）上記締付ボルトは、上記金具本体の締付基部に螺進退可能に螺合されるとともに、その先端面が上記支柱の裏面側に当接係合可能とされてなり、上記金具本体が上記支柱の裏側から支柱を抱持状に挟むようにして、上記一対の掛合腕部が上記網状体の網目にそれぞれ掛合した状態において、上記締付ボルトが締め込み操作されることにより、上記網状体が上記支柱の表面側に共締め状に締付け固定される。
【００２６】
（５）上記締付ボルトは、手動操作可能な蝶ボルトの形態とされている。
【００２７】
また、本発明の防護柵は、所定の間隔をもって配設された支柱を介して網状体が張りめぐらせてなる防護柵であって、上記網状体は、所定寸法を有する矩形状に形成されたエキスパンドメタルからなる平坦な網状の板材から構成され、上記支柱が、上記矩形状の網状体の幅寸法に対応した間隔をもって複数本立設されるとともに、これら相隣接する支柱間に上記網状体が橋絡状に張設されてなり、上記支柱に支持固定される上記各網状体の両端縁部は、隣接する網状体の一端縁部と重ね合わされるとともに、これら重合部分が上記取付金具により上記支柱に共締めされて固定されていることを特徴とする。
【００２８】
好適な実施態様として、上記網状体の重合部分において、両網状体の網目同士は、上下方向および幅方向にそれぞれ当接係合して位置決めされている。
【００２９】
また、本発明の防護柵の網状体の取付方法は、所定の間隔をもって配設された支柱を介して網状体が張りめぐらせてなる防護柵において、上記網状体を上記支柱に取り付ける方法であって、隣接する上記網状体の一端縁部同士を重ね合わせた後、上記取付金具により、これら重合部分を上記支柱に共締め状に取付け固定することを特徴とする。
【００３０】
好適な実施態様として、隣接する上記網状体の重合部分を、上記支柱に表側から当接させた状態で、上記取付金具の両掛合腕部を、上記支柱の裏側から支柱を抱持状に挟むようにして、上記網状体の重合部分を表側へ挿通した後、両掛合腕部を上記網状体の網目に掛止させながら裏側へ引き込み、この状態のまま、上記締付ボルトを締め込むことで、上記網状体の重合部分を上記支柱の表面側に共締め状に締付け固定する。
【００３１】
本発明の防護柵は、その主要構成部である網状体がエキスパンドメタルからなる平坦な網状の板材から構成されており、特に農耕地への野生動物等の侵入を阻止するために適した防護柵として適用される。
【００３２】
すなわち、エキスパンドメタルは、金属板がひし形または亀甲形の網目状に展伸されてなるもので、一般的な網状体と異なり、メッシュのどの部分にも互いに交錯する構成線材の溶接部分や締付部分等が全く存在しない一体成形品であって、構造的に軽量かつ堅牢なメッシュ構造を備えている。この特性を生かして、網状体の各メッシュの開口部面積を、進入防止対象となる野生動物に対応して設定することで、その開口部の大きさ以上の動物の進入を阻止することができ、現在食害の報告のある野生動物のほとんどに対処可能である。
【００３３】
網状体が上述のごとく堅牢なメッシュ構造を備えているから、野生動物に噛み切られる危険も少なく、仮にメッシュの一部が損傷したとしても、開口部が広がることもなく、防護柵としての機能を安定して保持する。
【００３４】
また、各網状体が軽量であることで、施工現場における取扱い作業性も良好であり、強度、耐蝕性に優れているので長期の使用にも耐え、維持管理を含めて大変経済的である。
【００３５】
各網状体の両端縁部が隣接する網状体の一端縁部と重ね合わされるとともに、これら重合部分において、両網状体のメッシュ同士が上下方向および幅方向にそれぞれ当接係合して位置決めされることにより、メッシュ構造の構造的特徴からこの重合部分が一枚板のような外観を呈するとともに、支柱への支持固定強度も大きい。
【００３６】
上記重合部分が、一個の取付金具により上記支柱に共締めされて固定されることにより、固定作業が容易であるとともに、任意の各所から同時に防護柵を組み立てることができ、従来の防護柵に比べて作業能率が良好である。
【００３７】
また、取付金具は、上記のごとく単純な構造とされており、特殊な技能や工具、あるいは専門知識なども全く不要で、素人でも簡単に取付け組立や取外し解体ができ、任意の所望の箇所に出入り口等を設けることも容易である。
【発明の効果】
【００３８】
本発明によれば、防護柵の主要構成部品である網状体が、所定の形状寸法を有するエキスパンドメタルからなる平坦な網状の板材から構成されているから、以下に列挙するような種々の効果が得られ、専門的な知識を必要とせずに容易に施工することができるとともに、野生動物の侵入を確実に阻止することができる安価な防護柵を提供することができる。
【００３９】
（１）防護柵の主要構成部である網状体がエキスパンドメタルからなる平坦な網状の板材から構成されているから、農耕地等への野生動物侵入防止用の防護柵として適用する場合、網状体の各メッシュの開口部面積を、進入防止対象となる野生動物に対応して設定することで、その開口部の大きさ以上の動物の進入を確実に阻止することができ、現在食害の報告のある野生動物のほとんどに対処可能である。
【００４０】
（２）網状体のメッシュのどの部分にも互いに交錯する構成線材の溶接部分や締付部分等が全く存在しない一体成形品であって、構造的に軽量かつ堅牢なメッシュ構造を備えているから、仮にメッシュの一部が損傷したとしても、開口部が広がることもなく、防護柵としての機能を安定して確保することができる。例えば、上記のように野生動物侵入防止用の防護柵として適用する場合にも、野生動物がからみ付いたり、野生動物に噛み切られる危険もきわめて少ない。
【００４１】
（３）各網状体が軽量であることで、施工現場における取扱い作業性も良好であり、施工性に優れる。
【００４２】
（４）網状体の腐食が少なく耐蝕性に優れており、また強度も大きいので、通常の場所であれば２０年以上の長期にわたり耐久性が見込まれ、メンテナンスフリーの防護柵が構築可能である。特に前メッキタイプのエキスパンドメタルを採用することにより、寿命はさらに延びることになる。
【００４３】
（５）各網状体の両端縁部が隣接する網状体の一端縁部と重ね合わされるとともに、これら重合部分において、両網状体のメッシュ同士が上下方向および幅方向にそれぞれ当接係合して位置決めされる構造とされることにより、エキスパンドメタルのメッシュの構造的特徴から、上記重合部分に大きな段差が生じず、一枚板のようなシンプルですっきりした良好な外観を呈するとともに、大きな支柱への支持固定強度も得ることができる。
【００４４】
（６）上記重合部分が、一個の取付金具により上記支柱に共締めされて固定されることにより、固定作業が容易であるとともに、任意の各所から同時に防護柵を組み立てることができ、従来の防護柵に比べて作業能率が良好である。
【００４５】
（７）単純な構造の取付金具を用いることにより、特殊な技能や工具、あるいは専門知識なども全く不要で、素人でも簡単に取付け組立や取外し解体ができ、任意の所望の箇所に出入り口等を設けることも容易である。
【００４６】
（８）従来の電気柵のように、電気を使用しないので感電の危険がなく、また電源を必要としないので、上記のメンテナンスフリー効果と相まって、ランニングコストもほとんどかからず、維持管理を含めて大変経済的である。
【発明を実施するための最良の形態】
【００４７】
以下、本発明に係る防護柵およびその施工方法を図面に基づいて詳細に説明する。
【００４８】
実施形態１
本発明に係る防護柵を図１〜図８に示し、この防護柵は、具体的には、農耕地等への野生動物などの侵入を防止するためのものであって、所定の間隔をもって配設された支柱１、１、…を介して網状体２、２、…が張りめぐらされてなる。
【００４９】
支柱１は、上記網状体２を装着するための支持体となるもので、具体的には金属製の棒状体で構成され、図示の実施形態においては、図２および図３に示すような円筒状の軽量金属からなる金属パイプが使用されている。各支柱１は、後述するように、施工現場において、網状体２の幅寸法（横方向寸法）Ｗに対応した間隔をもって立設されて、構築すべき防護柵の平面輪郭を形成する。
【００５０】
網状体２は、野生動物等の侵入を防止する防護壁を形成するものであって、具体的には、所定の形状寸法を有するエキスパンドメタル（expanded metal) からなる平坦な網状の板材から構成されている。
【００５１】
網状体２を構成するエキスパンドメタルは、従来周知の構造を備えてなり、具体的には、厚さ数ミリ程度の鋼板がひし形または亀甲形の網目状に展伸されてなる。このエキスパンドメタルは、網目（メッシュ）のどの部分にも互いに交錯する構成線材の溶接部分や締付部分等が全く存在しない一体成形品であって、構造的に軽量かつ堅牢なメッシュ構造を備えている。
【００５２】
網状体２は、エキスパンドメタルが所定寸法を有する矩形状に切断形成されるとともに、そのメッシュの開口部面積が、進入防止対象となる野生動物に対応して設定されている。網状体２の具体的な形状寸法は、構成部材であるエキスパンドメタルの材質・重量等を考慮して、作業者一人でも持つことができるように設定される。
【００５３】
図示の実施形態においては、縦寸法Ｈが９２０ｍｍで、横寸法Ｗが２５００ｍｍの矩形状とされた上段用網状体２ａ（重量２．６ｋｇ程度）と、縦寸法Ｈが１２２０ｍｍ（７２０ｍｍ＋５００ｍｍ）で、横寸法Ｗが２５００ｍｍの矩形状とされた下段用網状体２ｂ（重量３．５ｋｇ程度）とが用いられており、いずれの網状体２ａ、２ｂにおいても、各メッシュは、図４に示すように、最大縦寸法ｈが約８６．５ｍｍで、最大横寸法ｗが約４８．０ｍｍに設定されてなる、ほぼひし形に形成されている。
【００５４】
また、図示の実施形態の網状体２を形成するエキスパンドメタルは、薄板状の鋼板の表面に予めメッキ処理が施された後、上記ひし形の網目状に展伸されてなるいわゆる前メッキタイプのもの（例えば、関西鉄工株式会社製の商品名「ダイマス−パーエキスパンドメタル」）が採用されている。この前メッキタイプのエキスパンドメタルは、従来一般的ないわゆる後メッキタイプのものに比較して、耐蝕性に優れ長寿命であるという特性を備えている。
【００５５】
そして、以上のようにエキスパンドメタルからなる網状体２（２ａ、２ｂ）は、図１に示すように、施工現場において、支柱１、１、…が網状体２の幅寸法Ｗに対応した間隔をもって垂直起立状に埋設されるとともに、これら相隣接する支柱１、１間に、上下段用網状体２ａ、２ｂが、それぞれ橋絡状に張設されて、上下二段の網状体構造とされた防護柵が形成される。
【００５６】
具体的には、各網状体２（２ａ、２ｂ）は、地表面Ｇとほぼ平行となるように配設されるとともに、上下二段の網状体２ａ、２ｂ間には、対象となる野生動物が侵入できない程度の隙間（図示の実施形態においては、高さ方向４００ｍｍ程度の隙間）Ｌが設けられている。
【００５７】
また、支柱１に支持固定される各網状体２（２ａ、２ｂ）の両端縁部５、６は、隣接する網状体２の一端縁部５または６と所定の幅寸法をもって重ね合わされるとともに、これら重合部分７が、取付金具８により支柱１に共締めされて支持固定され、水平方向に一体的に連続した防護柵が形成される。上記重合部分７の幅方向寸法は重ねるメッシュの数を適宜増減することで調整可能であり、これにより施工現場における支柱１、１間の間隔寸法の誤差等が有効に吸収される。
【００５８】
なお、下段用網状体２ｂは、図８に示すように、網状体２の地表面Ｇに接触する下端部分３は、柵外側へ向けて折曲形成された土堀侵入防止部とされている。このような土堀侵入防止部３が設けられているのは、防護柵の下端部分の土を掘って穴を作る習性を持つ四つ足の野生動物のための対策である。このような構造とすることにより、四つ足の野生動物は、前足で踏ん張って鼻で土を掘ろうとするところ、この自分の前足が土堀侵入防止部３上に乗ってしまうこととなり、土堀ができずに柵内への侵入も不可能となる。図示の実施形態においては、土堀侵入防止部３は５０センチ程度の幅寸法に設定されている。
【００５９】
また、エキスパンドメタルの構造的特徴を生かして、網状体２（２ａ、２ｂ）の各重合部分７における両網状体２のメッシュ同士は、図５に示すように、上下方向および幅方向にそれぞれ当接係合して位置決めされており、このような重合構造とすることにより、図３および図７に示すごとく、あたかも一枚板のような外観を呈するとともに、支柱１への支持固定強度も大きくなるという利点がある。
【００６０】
上記取付金具８は、支柱１の裏側（つまり図３および図７に示すように、網状体２が張設される表側の反対側）から網状体２を引っ掛けて締め付けるもので、その具体的構造が図６に示されており、金具本体１０と締付ボルト１１から構成されている。
【００６１】
金具本体１０は、支柱１と網状体２を共締め状に掛合するもので、具体的には図３に示すように、支柱１に嵌合するほぼＵ字形状に折曲形成されてなる金属板製とされている。この金具本体１０は、網状体２のメッシュにそれぞれ掛合する一対の掛合腕部１０ａ、１０ａと、これら両掛合腕部１０ａ、１０ａの接続部を形成する締付基部１０ｂとからなり、この締付基部１０ｂに、上記締付ボルト１１が螺進退可能に螺着されている。
【００６２】
上記両掛合腕部１０ａ、１０ａ間の距離は、支柱１の両側に抱持状に嵌合可能な寸法に設定されるとともに、各掛合腕部１０ａ、１０ａには、網状体２のメッシュに挿通掛止可能な掛合部１２がそれぞれ対向して設けられている。この掛合部１２の具体的構造は、上方が開放されるとともに、上側が後方へ向けて傾斜したほぼＵ字形状の切欠き溝の形態とされ、これら切欠き溝１２、１２が網状体２のメッシュに掛止可能とされている。
【００６３】
すなわち、この掛合部１２の具体的構造は、図６に示すように、上方が開放された切欠き溝の形態とされている。この切欠き溝１２は、図示のごとく前後方向へ引込み掛止可能な形状とされ、具体的には、その前側溝縁が後方へ湾曲して形成されるとともに、その後側溝縁の上側が後方へ向けて傾斜したほぼＵ字形状に形成されている。これにより、これら両掛合腕部１０ａ、１０ａの切欠き溝１２、１２は、図３および７に示すように、網状体２のメッシュに表裏方向（前後方向）へ引込み掛止可能とされている。また、上記締付基部１０ｃは、両掛合腕部１０ａ、１０ａに対して垂直な平坦状とされるとともに、その中心位置に、締付ボルト１１が螺進退可能に螺着されている。
【００６４】
この締付ボルト１１は、その先端面が支柱１の裏面側（つまり図３および図７に示すように、網状体２が張設される表面側の反対面側）に当接係合して、金具本体１０を締付け固定するもので、具体的には、図６に示すように、作業者が手動操作可能な蝶ボルトの形態とされている。
【００６５】
そして、隣接する網状体２（２ａ、２ｂ）の重合部分７を、支柱１に外側つまり表側から当接させた状態で、取付金具８の両掛合腕部１０ａ、１０ａを、支柱１の裏側（つまり図３および図７に示すように、網状体２が張設される表側の反対側）から支柱１を抱持状に挟むようにして、網状体２の重合部分７を表側へ挿通した後、両掛合腕部１０ａ、１０ａの切欠き溝１２、１２を網状体２のメッシュに掛止させながら裏側へ引き込む。この状態のまま、手指にて締付ボルト１１を締め込むことで、上記網状体２の重合部分７が支柱１の表面側に共締め状に締付け固定される。
【００６６】
また、これに関連して、上段用網状体２ａの頂部は、吊り金具１５により支柱１に吊持状に支持される。この吊り金具１５は、具体的には、金属線材がＳ字形状に折曲形成されてなるもので、図示の実施形態においては、直径４ｍｍ程度の金属丸棒から形成されている。
【００６７】
吊り金具１５は、図２に示すように、その下端部１５ａにより網状体２ａの適当箇所のメッシュに掛止させるとともに、その上端部１５ｂを支柱１の上端縁１ａの外側部分に掛止させることで、網状体２が支柱１に対して吊持状に支持固定される。
【００６８】
続いて、以上のように構成された構成部材を用いた防護柵の施工方法について説明する（図７参照）。
【００６９】
Ａ．下段部分の網状体２ｂ、２ｂの張設組立：
（ｉ）支柱１、１、…を、施工現場において、網状体２（２ａ、２ｂ）の幅寸法に対応した一定間隔をもって、垂直起立状に埋設する。これにより、構築すべき防護柵の平面輪郭が画定される。
【００７０】
この場合、支柱１の下端部分１ｂは、所定寸法（図示の実施形態においては約５００ｍｍ程度）だけ地中に打ち込まれて、埋設固定される。施工現場の地質によって、支柱１を直接地中に打ち込めないときは、事前に打込み用の下穴を形成してから、支柱１を打ち込む。
【００７１】
（ii）下段用網状体２ｂ、２ｂ、…を隣接する各支柱１、１間の外側に立てかけた後、この状態で、隣接する網状体２ｂ、２ｂの端縁部５、６を所定の幅寸法をもって互いに重ね合わせる（図７（ａ）参照）。
【００７２】
（iii）この網状体２ｂ、２ｂの重合部分７（図７（ｂ）参照）を支柱１に当接させた状態で、取付金具８により上述した要領で、支柱１の裏側から網状体２を裏側へ引き込んだ後（図７（ｃ）参照）、取付金具８の締付ボルト１１を手指にて締め込んで、網状体２ｂ、２ｂの重合部分７を支柱１に共締め状に締付け固定する（図３参照）。重合部分７の取付金具８による締付け部位は、上下方向の適宜の２箇所である。
【００７３】
（iv）以上の手順を順次繰り返して、構築すべき防護柵の全長にわたって、下段用網状体２ｂ、２ｂ、…を張設組立する。
【００７４】
Ｂ．上段部分の網状体２ａ、２ａの張設組立：
（ｖ）各支柱１の上端縁１ａに、吊り金具１５の上端部１５ｂを掛止して、吊り金具１５を取り付ける。
【００７５】
（vi）上段用網状体２ａを、隣接する各支柱１、１間の外側から上記吊り金具１５の下端部１５ａに吊持状に掛止する。この場合、隣接する網状体２ａ、２ａの端縁部５、６同士が所定の幅寸法をもって重なり合うように位置決めしながら掛止する。
【００７６】
（vii）この後、上記両端縁部５、６を互いに重ね合わせるとともに（図７（ａ）参照）、この網状体２ａ、２ａの重合部分７（図７（ｂ）参照）を支柱１に当接させた状態で、取付金具８により上述した要領で、重合部分７の下部の適宜箇所を、支柱１の裏側へ引き込んだ後（図７（ｃ）参照）、取付金具８の締付ボルト１１を手指にて締め込んで、網状体２ａ、２ａの重合部分７を支柱１に共締め状に締付け固定する（図３参照）。
【００７７】
（viii）以上の手順を順次繰り返して、構築すべき防護柵の全長にわたって、上段用網状体２ａ、２ａ、…を張設組立する。
【００７８】
以上の上下段部分の網状体２ａ、２ｂの一連の張設組立により、防護柵が全長にわたって構築されることになるが、上記Ａの工程とＢの工程を逆の順序で施工しても良い。また、上段部分の網状体２ａの張設作業に際しては、吊り金具１５を用いて網状体２ａを予め吊持状に支持させることで、作業が簡単容易になるが、もちろん、上段部分の網状体２ａの上端縁部分も取付金具８により締付け固定しても良い。
【００７９】
しかして、以上のように構築された防護柵においては、その主要構成部である網状体２（２ａ、２ｂ）がエキスパンドメタルからなる平坦な網状の板材から構成されており、農耕地への野生動物等の侵入を確実に阻止することができる。
【００８０】
すなわち、エキスパンドメタルは、金網や魚網等の線材を編み上げてなる一般的な網状体と異なり、メッシュのどの部分にも互いに交錯する構成線材の溶接部分や締付部分等が全く存在しない一体成形品であって、構造的に軽量かつ堅牢なメッシュ構造を備えている。
【００８１】
本実施形態においては、このエキスパンドメタルの特性を生かして、網状体２（２ａ、２ｂ）の各メッシュの開口部面積を、進入防止対象となる野生動物に対応して設定しており、これにより、メッシュの開口部の大きさ以上の動物の進入が確実に阻止され得る。
【００８２】
しかも、網状体２（２ａ、２ｂ）が上述のごとく堅牢なメッシュ構造を備えているから、野生動物に噛み切られる危険も少なく、仮にメッシュの一部が損傷したとしても、その開口部が広がることもなく、防護柵としての機能を長期にわたり安定して保持することができる。
【００８３】
また、各網状体２（２ａ、２ｂ）が作業者一人でも持つことができる程度の軽量構造に設計されており、施工現場における取扱い作業性も良好であり、しかも、強度、耐蝕性に優れているので長期の使用にも耐え、維持管理を含めて大変経済的である。この効果は、特にエキスパンドメタルとして前メッキタイプのものを用いることにより、より顕著となる。
【００８４】
さらに、各網状体２（２ａ、２ｂ）の両端縁部５、６が隣接する網状体の一端縁部５または６と重ね合わされるとともに、これら重合部分７において、両網状体２（２ａ、２ｂ）のメッシュ同士が上下方向および幅方向にそれぞれ当接係合して位置決めされているので、メッシュの構造的特徴から、この重合部分７が一枚板のような外観（図３および図５参照）を呈するとともに、支柱１への支持固定強度も大きい。
【００８５】
上記重合部分７が、一個の取付金具８により支柱１に共締めされて固定される構造とされているので、その固定作業が容易であるとともに、上述した施工手順に制限されることなく、任意の各所から同時に防護柵を組み立てることも可能であり、従来の防護柵に比べて作業能率がきわめて良好である。
【００８６】
また、取付金具８は、上述のごとく単純な構造とされており、このため、その取扱いには、特殊な技能や工具、あるいは専門知識なども全く不要で、素人でも簡単に取付け組立や取外し解体ができる。この結果、任意の所望の箇所に出入り口等を必要に応じて設けることも容易である。
【００８７】
実施形態２本実施形態は図９および図１０に示されており、実施形態１における支柱１として、軽量型鋼製の棒状体が用いられたものである。
【００８８】
すなわち、本実施形態の支柱１は、図９および図１０に示すように、断面コ字形状の軽量型鋼製の棒状体からなる。これに対応して、吊り金具１５の使用態様が実施形態１の場合と異なる。
【００８９】
具体的には、図９に示すように、支柱１は、その断面コ字形状の開放側が外側に向くように施工現場に設置される。吊り金具１５は、その下端部１５ａにより網状体２ａの適当箇所のメッシュに掛止させるとともに、その上端部１５ｂを支柱１の上端縁１ａの背面部位に外側から掛止させることで、吊り金具１５が支柱１の内部に納まる形で、網状体２が支柱１に対して吊持状に支持固定される。これにより、実施形態１の場合と異なり、吊り金具１５の装着位置においても、支柱１と網状体２が密接状態で当接されることになる。
【００９０】
また、取付金具８の締付ボルト１１は、その先端面が支柱１の平坦な裏面に当接係合して、金具本体１０を締付け固定することになる。その他の構成および作用は実施形態１と同様である。
【００９１】
なお、上述した実施形態１および２は、あくまでも本発明の好適な実施態様を示すものであって、本発明はこれに限定されることなく、その発明の範囲内で種々の設計変更が可能である。
【００９２】
例えば、図示の実施形態１、２においては、上下二段に網状体２（２ａ、２ｂ）を張設される構造とされているが、上下方向の網状体２の設置段数は図示のものに限定されず、一段のみの張設構造とされたり、あるいは三段、四段など張設構造とされるなど、目的に応じて適宜増減可能である。
【００９３】
また、図示の実施形態１、２においては、下段用網状体２ｂの下端部分が外側へ折曲されて土堀侵入防止部３が形成されているが、対象となる野生動物の習性に対応して、上段用網状体２ａと同様な平板状とされても良い。
【００９４】
さらに、網状体２（２ａ、２ｂ）を構成するエキスパンドメタルは、図示の実施形態１、２のような前メッキタイプのものでなく、従来一般的な後メッキタイプのものを使用しても良い。
【００９５】
また、本発明の防護柵は、図示の実施形態のような野生動物などの侵入防止用として最適なものであるが、その用途は特にこれに限定されるものではなく、目的に応じて広汎な用途が見込まれる。
【図面の簡単な説明】
【００９６】
【図１】本発明の実施形態１に係る防護柵の全体構成を示す正面図である。
【図２】同防護柵における吊り金具による網状体の支柱に対する吊持状固定状態を一部切開して示す側面断面図である。
【図３】同じく同防護柵における取付金具による網状体の支柱に対する締付け固定状態を一部切開して示す平面断面図である。
【図４】同防護柵の網状体を構成するエキスパンドメタルのメッシュ構造を拡大して示す図で、図４（ａ）は正面図、図４（ｂ）は図４（ａ）のＢ−Ｂ線に沿った平面断面図である。
【図５】同防護柵の隣接する網状体の重合部分を示す正面図である。
【図６】同防護柵における取付金具を示す斜視図である。
【図７】同防護柵の施工手順を説明するための平面断面図である。
【図８】同防護柵の上段用および下段用の網状体の配置構成を示す斜視図である。
【図９】本発明の実施形態２に係る防護柵の要部を示す図２に対応した側面断面図である。
【図１０】同じく同防護柵の他の要部を示す図３に対応した平面断面図である。
【符号の説明】
【００９７】
１                  支柱
１ａ                支柱の上端縁
２（２ａ、２ｂ）    網状体
３                  土堀侵入防止部
５、６              網状体の端縁部
７                  網状体の重合部分
８                  取付金具
１０                金具本体
１１                締付ボルト
１５                吊り金具
【図１】
2007050009.tif 000003
【図２】
2007050009.tif 000004
【図３】
2007050009.tif 000005
【図４】
2007050009.tif 000006
【図５】
2007050009.tif 000007
【図６】
2007050009.tif 000008
【図７】
2007050009.tif 000009
【図８】
2007050009.tif 000010
【図９】
2007050009.tif 000011
【図１０】
2007050009.tif 000012